(57)【要約】      （修正有）【課題】投射レンズの交換作業が容易で、作業の際ケーブル挿し忘れを防止することが可能な投射型画像表示装置を提供する。【解決手段】画像を投射する投射レンズと、該投射レンズを外部から着脱するためのレンズ着脱開口を有する筐体と、該レンズ着脱開口を覆い、開閉可能に設けられたレンズ蓋と、制御手段と、該制御手段と前記投射レンズとを電気的に接続するレンズ接続手段と、該レンズ接続手段が通過するための小開口部を該筐体に備える投射型画像表示装置において、前記筐体は、前記小開口部から延出した前記レンズ接続手段を保持する保持部を有し、該小開口部から延出し該保持部に保持されたケーブルの少なくとも一部が、前記レンズ蓋を開閉する移動軌跡中にある構成とした。【選択図】図１（ｄ）
2012189835.tif 000002
【特許請求の範囲】
【請求項１】
画像を投射する投射レンズと、
該投射レンズを外部から着脱するためのレンズ着脱開口を有する筐体と、
該レンズ着脱開口を覆い、開閉可能に設けられたレンズ蓋と、
制御手段と、
該制御手段と前記投射レンズとを電気的に接続するレンズ接続手段と、
該レンズ接続手段が通過するための小開口部を該筐体に備える投射型画像表示装置において、
前記筐体は、前記小開口部から延出した前記レンズ接続手段を保持する保持部を有し、
該小開口部から延出し該保持部に保持されたケーブルの少なくとも一部が、前記レンズ蓋を開閉する移動軌跡中にある
ことを特徴とする投射型画像表示装置。
【請求項２】
画像を投射する投射レンズと、
該投射レンズを外部から着脱するためのレンズ着脱開口を有する筐体と、
該レンズ着脱開口を覆い、開閉可能に設けられたレンズ蓋と、
制御手段と、
該制御手段と前記投射レンズとを電気的に接続するレンズ接続手段と、
該レンズ接続手段が通過するための小開口部を該筐体に備える投射型画像表示装置において、
前記筐体は、前記小開口部から延出した前記レンズ接続手段を保持する保持部を有し、
前記小開口部は、該レンズ蓋が閉状態では装置外部から視認不可能な位置に設けられており、
該小開口部から延出し該保持部に保持されたケーブルの少なくとも一部が、該レンズ蓋が閉状態でも装置外部から視認可能である
ことを特徴とする投射型画像表示装置。
【発明の詳細な説明】
【技術分野】
【０００１】
本発明は、投射型画像表示装置に関し、特に投射レンズ交換作業の作業性を向上できるようにした投射型画像表示装置の筐体構造に関するものである。
【背景技術】
【０００２】
投射型画像表示装置は、部屋の天井等の高所に設置されることが多く、投射レンズの交換作業も、設置状態のまま高所で行うことがある。
【０００３】
一方、投射レンズは、その特性ごとに数多くの種類が存在し、用途によって投射型画像表示装置に付け替えて使用するが、種別や、レンズ個々の特性等を投射型画像表示装置に認識させるために電気的な通信手段を備えている。
【０００４】
投射レンズと投射型画像表示装置との電気的な通信手段としては電気接点式やケーブルコネクタ接続式等存在するが、安定して多くの情報を通信できる方式としては、ケーブルコネクタ接続式が多く採用されている。
【０００５】
投射型画像表示装置側から延出したケーブルを投射レンズのコネクタ部に接続する方式の構造においては、投射レンズを取り外した際にケーブルの位置が定まらないため、再び投射レンズを取り付ける際に挟み込み、ケーブルを破損する恐れがある。ケーブルの挟み込みを防止するために、片手でケーブルを保持しながら片手で投射レンズ交換作業を行なわなければならなかった。
【０００６】
また、外観上の美観のために、上記ケーブルにカバーを被せて外観上見えないようにした構造においては、外観カバーを外して投射レンズ交換作業を行った後、上記のケーブルを接続し忘れたまま外観カバーを閉じてしまうと、外観からは作業ミスに気付きにくく、設置作業終了後にケーブル接続忘れに気付いた場合は再び作業を繰り返す必要があり、非常に手間がかかってしまう。
【０００７】
特許文献１では、外観カバーの内側に電源ケーブル接続部を設けることで、電源ケーブルを抜き忘れたまま外観カバーをしてしまうことを防止可能な構造となっている。
【先行技術文献】
【特許文献】
【０００８】
【特許文献１】特開２００２−３４４８４８号公報
【発明の概要】
【発明が解決しようとする課題】
【０００９】
しかし、特許文献１では、「消灯せずに外観カバーを閉めてしまう」ことや、「外観カバーをあけ忘れたままランプを点灯してしまう」ことを防止することは可能だが、レンズ交換時の作業容易性に関しては言及されていない。
【課題を解決するための手段】
【００１０】
そこで本提案においては、画像を投射する投射レンズと、該投射レンズを外部から着脱するためのレンズ着脱開口を有する筐体と、該レンズ着脱開口を覆い、開閉可能に設けられたレンズ蓋と、制御手段と、該制御手段と前記投射レンズとを電気的に接続するレンズ接続手段と、該レンズ接続手段が通過するための小開口部を該筐体に備える投射型画像表示装置において、前記筐体は、前記小開口部から延出した前記レンズ接続手段を保持する保持部を有し、該小開口部から延出し該保持部に保持されたケーブルの少なくとも一部が、前記レンズ蓋を開閉する移動軌跡中にある構成とした。
【発明の効果】
【００１１】
本発明の構成とすることで、投射レンズ交換時にケーブルを保持部に保持させて、両手で作業することが可能となり、容易に投射レンズ交換作業を行うことができる。
また、ケーブルを保持部に保持させたままレンズ蓋を閉めようとするとケーブルとレンズ蓋が干渉し閉まらないため、ケーブルを挿し忘れてレンズ蓋を閉めてしまうことを防止することができる。
【００１２】
第二の発明においては、ケーブルを保持部に保持させたままレンズ蓋を閉めても、保持部に保持されたままのケーブルが外観から視認できるため、ケーブルを挿し忘れたまま投射レンズ交換作業を終了してしまうことを防止することができる。
【００１３】
これらにより、投射レンズの交換作業が容易で、作業の際ケーブル挿し忘れを防止することが可能な製品を提供することができる。
【図面の簡単な説明】
【００１４】
【図１（ａ）】投射レンズ蓋が組まれた状態の投射型画像表示装置の構成を示す斜視図
【図１（ｂ）】投射レンズ蓋を取り外した状態の投射型画像表示装置本発明の構成を示す斜視図
【図１（ｃ）】投射レンズケーブルを外した状態の投射型画像表示装置の構成を示す斜視図
【図１（ｄ）】ケーブル保持部に投射レンズケーブルを保持したまま投射レンズ蓋を閉める状況を表す投射型画像表示装置の斜視図
【図２】本発明の筐体構成を搭載した投射型画像表示装置の分解斜視図
【発明を実施するための形態】
【００１５】
以下に、本発明の実施の形態を添付の図に基づいて詳細に説明する。
【００１６】
［実施例１］
図２は、本発明の投射型画像表示装置（投射表示装置）を示している。
【００１７】
図２において、１は光源ランプ。２はランプ１を保持するランプホルダー。３は防爆ガラス。４はガラス押さえ。αはランプ１からの光を入射する照明光学系。βは照明光学系からの出射光を入射するＲＧＢの３色用の液晶パネルを備えた色分解合成光学系。５は色分解合成光学系からの出射光を入射して図示せぬスクリーン（被投射面）に画像を投射する投射レンズ鏡筒であり、投射レンズ鏡筒５内には後述する投射レンズ光学系を収納している。６はランプ１。照明光学系α。色分解合成光学系βを収納するとともに投射レンズ５が固定される光学ボックスであり、該光学ボックス６にはランプ１の周囲を囲むランプ周辺部材としてのランプケース部材６ａが形成されている。
【００１８】
７は光学ボックス６内に照明光学系α。色分解合成光学系βを収納した状態で蓋をする光学ボックス蓋。８は電源。９は電源フィルタ。１０は８の電源とユニット化されランプ１を点灯する為のバラスト電源で、１１は電源８からの電力により液晶パネルの駆動、及びランプ１の点灯指令を送る為の回路基板。１２は後述する外装下筐体２１の吸気口２１ａから空気を吸い込み色分解合成光学系β内の液晶パネル等の光学素子を冷却する為の光学系用の冷却ファンＡ・冷却ファンＢ、１３は光学冷却ファン１２による風を色分解合成光学系β内の液晶パネル等の光学素子に送る為のＲＧＢダクトＡである。
【００１９】
１４はランプ１に対して吹き付け風を送り、ランプ１を冷却する為の光源ランプ用の冷却ファンであり。１５はランプ冷却ファン１４を保持しつつ冷却風をランプに送るためのランプダクトＡ。１６は冷却ファン１４を押さえて１５のランプダクトＡと合わせてダクトを構築するためのランプダクトＢ。１７は後述する外装下筐体２１に設けた吸気口２１ｂから空気を吸い込むことで電源８とバラスト１０内に風を流通させることで電源８及びバラスト電源１０を同時に冷却する為の電源用の冷却ファン。１８は排気ファンであり、排気ファン１８はランプ冷却ファン１４によるランプ１を通過した後の熱風を排出する。
【００２０】
１９はランプ排気ルーバーＡ。２０はランプ排気ルーバーＢであり、ランプ１からの光が装置外部に漏れないような遮光機能を有している。
【００２１】
２１は光学ボックス６等を収納する為の外装下筐体（外装ケース下部）。２２は外装下筐体２１に光学ボックス６等を収納した状態で蓋をする為の外装上筐体（外装ケース上部）。２３は側板Ａ。２４は側板Ｂであり、外装下筐体２１には上述した吸気口２１ａ、２１ｂが形成されている。
【００２２】
２５は各種信号を取り込むコネクタが搭載されるインターフェース基板で、２６は側板Ａ２３の内側に取り付けられたインターフェース補強板である。
【００２３】
２７はランプ１からの排気熱を１８の排気ファンまで導き、装置内部に排気風を放散させないためのランプ排気ボックスで、１９のランプ排気ルーバーＡと２０のランプ排気ルーバーＢを保持する。
【００２４】
２８はランプ蓋で、ランプ蓋２８は外装キャビネット２１の底面に着脱自在に設けられており、図示を省略したビスにより固定されている。また、２９は高さ調整脚ユニットで、高さ調整脚ユニット２９は外装下筐体２１に固定されており、その脚部の高さ調整脚２９ａの高さを調整可能となっている。高さ調整脚２９ａの高さ調整により、装置本体の傾斜角度を調整できるように構成されている。
【００２５】
３０は外装下筐体２１の吸気口２１ａ外側に取り付く不図示のフィルタを押さえるＲＧＢ吸気プレート。
【００２６】
３１は色分解合成光学系βを保持するプリズムベースで、３２は、色分解合成光学系βの光学素子と反射型液晶表示素子を冷却するために冷却ファン１２からの冷却風を導くためのダクト形状部を有するボックスサイドカバー。３３はボックスサイドカバー３２と合わせることでダクトを形成するためのＲＧＢダクトＢである。
【００２７】
３４は色分解合成光学系β内に配置されるところの、反射型液晶表示素子から出ているＦＰＣが接続され、回路基板１１に接続されるＲＧＢ基板で、３５はＲＧＢ基板３４に電気ノイズが入り込まないようにするためのＲＧＢ基板カバーである。
【００２８】
次に図１を用いて本提案の特徴である構成について説明する。
【００２９】
図１は本提案が適用される投射型画像表示装置の概略構成を示す斜視図である。
図１（ａ）において、２２は外装上筐体であり、外装下筐体２１と組み合わせて箱形状を成す。３７は投射レンズ着脱開口を覆う投射レンズ蓋である。
【００３０】
図１（ｂ）は上記の投射レンズ蓋３７を外した状態であり、投射レンズ着脱開口２２ａが露出している。小開口部２２ｂから延出した投射レンズケーブル３６が、投射レンズ５に設けられた投射レンズ通信コネクタ（不図示）に接続されている。
【００３１】
図１（ｃ）において、投射レンズケーブル３６は、投射レンズ通信コネクタ５ａから取り外された状態で、位置が定まっていない。
【００３２】
図１（ｄ）のように、投射レンズケーブル３６をケーブル保持部２３ａに圧入し固定することで、投射レンズ５の着脱の際に投射レンズケーブル３６を誤って挟み込む等のトラブルを回避することができる。
【００３３】
投射レンズ蓋３７は、壁部３７ａを有し、図１（ｄ）のように、投射レンズケーブル３６がケーブル保持部２３ａに固定された状態のまま、誤って投射レンズ蓋３７を取り付けた場合、上記の壁部３７ａが投射レンズケーブル３６に干渉し、組むことができない。
【００３４】
これにより、投射レンズケーブルを投射レンズ通信コネクタに取り付け忘れたまま、投射レンズ蓋を取り付けてしまうことを防止することができる。
【００３５】
尚、上記の開口・保持部・保持方法（圧入、引掛け、クランプ等）等は、上述した一実施例の形状・配置に限定されること無く、種々変形可能であることは言うまでも無い。
【符号の説明】
【００３６】
１ ：光源ランプ
２ ：ランプホルダー
３ ：防爆ガラス
４ ：ガラス押さえ
５ ：投射レンズ
５ａ ：投射レンズ通信コネクタ
６ ：光学ボックス
７ ：光学ボックス蓋
８ ：電源
９ ：電源フィルタ
１０ ：バラスト電源
１１ ：回路基板
１２Ａ ：光学冷却ファンＡ
１２Ｂ ：光学冷却ファンＢ
１３ ：ＲＧＢダクトＡ
１４ ：ランプ冷却ファン（吹き付けファン）
１５ ：ランプダクトＡ
１６ ：ランプダクトＢ
１７ ：電源用冷却ファン
１８ ：排気ファン
１９ ：ランプ排気ルーバーＡ
２０ ：ランプ排気ルーバーＢ
２１ ：外装下筐体（外装ケース下部）
２１ａ ：吸気口
２１ｂ ：吸気口
２２ ：外装上筐体（外装ケース上部）
２２ａ ：投射レンズ着脱開口
２２ｂ ：小開口部
２３ ：側板Ａ
２３ａ ：ケーブル保持部
２４ ：側板Ｂ
２５ ：インターフェース基板
２６ ：インターフェース補強板
２７ ：排気ボックス
２８ ：ランプ蓋
２９ ：高さ調整脚ユニット
２９ａ ：高さ調整脚
３０ ：ＲＧＢ吸気プレート
３１ ：プリズムベース
３２ ：ボックスサイドカバー
３３ ：ＲＧＢダクトＢ
３４ ：ＲＧＢ基板
３５ ：ＲＧＢ基板カバー
３６ ：投射レンズケーブル
３７ ：投射レンズ蓋
３７ａ ：投射レンズ蓋壁部
【図１（ａ）】
2012189835.tif 000003
【図１（ｂ）】
2012189835.tif 000004
【図１（ｃ）】
2012189835.tif 000005
【図１（ｄ）】
2012189835.tif 000006
【図２】
2012189835.tif 000007